(57)【要約】【課題】静電誘導発電機を多相交流出力が可能となるようにし、定電圧負荷に接続した場合の出力電力取り出し効率を改善する。【解決手段】帯電部を有する回転可能な回転子と、この回転子から所定距離の空隙を介して対向した導電部を有する固定子とで静電誘導発電機を構成する。特に固定子の導電部である電極面を同心円状の３つの環状領域に分割し、それぞれの環状領域を、面積の等しい複数の小電極に分割し、さらに各環状領域の電極の配置位相を０°と±１２０°とにすることによって、一般に動力電源として用いられるような三相交流を発生させる。三相交流は電流のリプルが小さくなるため、単相と比較して、負荷への電力取り出し効率を高くすることが可能となる。【選択図】図４
2018201333.tif 000002
【特許請求の範囲】
【請求項１】
帯電部を有する回転可能な回転子（８０）と、該回転子から所定距離の空隙を介して対向した導電部を有する固定子（９０）とで構成した静電誘導発電機（１０１）であって、
前記帯電部は、前記回転子（８０）の回転中心から放射線状に配置された所定の中心角のＣ字扇状領域を複数有し、
前記導電部は、前記回転子（８０）の回転中心軸上の位置から同心円状に配置された環状領域を複数有し、
前記環状領域は、小電極に複数分割され、
内周側に配置される前記環状領域の径方向の幅は、外周側に配置される前記環状領域の径方向の幅よりも長い
ことを特徴とする静電誘導発電機。
【請求項２】
前記環状領域は、それぞれ前記中心角と等しい中心角のＣ字扇状の小電極に複数分割され、
内周側に配置される前記環状領域の前記小電極の面積と、外周側に配置される前記環状領域の前記小電極の面積は等しい
ことを特徴とする請求項１に記載の静電誘導発電機。
【請求項３】
前記小電極の前記回転中心からの配置角度は、前記中心角の２倍の角度を前記環状領域の数で除した角度の整数倍である
ことを特徴とする請求項１又は２に記載の静電誘導発電機。
【請求項４】
前記環状領域の数を３とすることで出力端子が３つの交流発電出力を得られるようにしたことを特徴とする請求項３に記載の静電誘導発電機。
【請求項５】
前記環状領域の数を２とすることで出力端子が２つの交流発電出力を得られるようにしたことを特徴とする請求項３に記載の静電誘導発電機。
【請求項６】
前記小電極の前記回転中心からの配置角度が、前記中心角の１／２の角度の整数倍であることを特徴とする請求項１又は２に記載の静電誘導発電機。
【請求項７】
請求項１から６のいずれか１つに記載の静電誘導発電機（１０１）の出力に接続した全波整流回路（５０）と、前記全波整流回路（５０）の出力に接続した、ほぼ一定電圧の電圧源となる定電圧負荷回路（１０２）とを備え、
前記全波整流回路により一方向に整流された電流によって前記定電圧負荷回路（１０２）を充電することを特徴とする充電回路。
【請求項８】
前記静電誘導発電機（１０１）の発電が定常状態であるとき、
前記一方向に整流された電流のリプル幅が小さくなるように前記定電圧負荷回路（１０２）の端子電圧を設定した
ことを特徴とする請求項７に記載の充電回路。
【発明の詳細な説明】
【技術分野】
【０００１】
本発明は、携帯型電子機器に用いられる発電機に関するものであり、特にその電極構造に関するものである。
【背景技術】
【０００２】
従来から、エレクトレット材料による静電誘導を利用した発電機が提案されている。
【０００３】
特許文献１には、複数のエレクトレット電極を表面に有する固定子と、複数の電極を表面に有する回転子とが離れて配置された発電機が開示されている。
【０００４】
図９にこのような従来の静電誘導発電機の構成の電極構成の例を示す。
【０００５】
この例における固定子９は、円形のプリント基板面上を偶数個の領域（図９では８個）に分割するような放射状の電極を有する。これらの電極を周方向に１つおきに結線することで、交流出力が得られる２端子出力の静電誘導発電機１として構成する。
【０００６】
この固定子９に対向し、回転可能なようにして配置した、図示しない回転子とで構成する。回転子は固定子９と同じ大きさの円板であり、その面を同じく放射状に偶数個に分割し、周方向に１つおき、すなわち４個分の帯電領域を形成する。
【０００７】
外部から発電機に回転力が加わったときに、回転子は回転し、その帯電面と固定子９の電極との重なり面積は変化する。この重なり面積の変化によって、固定子９の電極に誘起される電荷量に変化が生じ、この結果として接続した負荷へ電流を流すことが可能となる。
【０００８】
さらにこの発電機からの単相出力を、整流回路５を介して一方向の電圧波形にし、所定の抵抗値の抵抗負荷２としてみなせる電子機器を駆動することが可能である。
【０００９】
静電誘導発電機の発電出力電圧としては、機械精度や電極間に存在する寄生容量成分などによる高調波成分はあるが、ほぼ正弦波的に変化する単相の発電電圧が得られる。その電圧は、特許文献２に開示されているように、発電電圧の振幅は主に空隙の距離やエレクトレット電極表面の帯電電荷密度で決まることが知られている。
【先行技術文献】
【特許文献】
【００１０】
【特許文献１】特開２０１３−５９１４９号公報（８頁、図３、図４）
【特許文献２】特表２００５−５２９５７４号公報（１７頁、図６）
【発明の概要】
【発明が解決しようとする課題】
【００１１】
従来の静電誘導発電機においては回路負荷を駆動することが可能な構成についてまでの開示はあるものの、この発電機から得られる電力の利用効率についてはほとんど考慮されていない。特に携帯機器の用途では、発電した電力を２次電池のような蓄電手段にいったん充電することが必要であり、発電機から蓄電手段への充電効率（電力取り出し効率）が重要となる。
【００１２】
ここで、静電誘導発電機の出力によって、２次電池のような入力インピーダンスが低く
、ほぼ一定電圧とみなせる電圧負荷へ充電を行う場合の効率について考える。
【００１３】
なお、発電機の出力インピーダンスと整合の取れた抵抗負荷を接続したときにこの抵抗負荷が消費する電力に対して、ある回路負荷に取り出せる電力との比を効率として定義する。特に前者は、この発電機から取り出せる理論上の最大電力に相当する。
【００１４】
単純化のため、発電電圧波形は振幅一定の正弦波であるとし、この発電出力を順方向電圧が０Ｖの理想ダイオードで全波整流したと仮定する。この整流された出力に定電圧負荷を接続して充電しようとした場合は、図１０に示すような正弦波を下側にオフセットさせ振幅の上部だけとした電流波形となる。これは、発電電圧波形の裾野部分が負荷より低い電圧となってしまうため、実質的に負荷へ電圧印加がなされず、充電電流が取れない時間が生じるためである。
【００１５】
計算機シミュレーションの解析によると、このような場合は、定電圧負荷の端子電圧が発電電圧の片振幅の０．３９４倍であるときに平均充電電力としては最大であった。その充電電力は、この発電機の出力インピーダンスと整合の取れた抵抗負荷を接続した場合の最大取り出し電力の約９２．３％である。
【００１６】
すなわち、発電波形の基本波成分について考えた場合、これを理想的な整流回路を介して定電圧負荷を駆動したとしても、負荷に取り出せる電力は理論上の最大値の約９２％である。これは実質的に印加される発電電圧成分のリプル幅が大きいためである。さらに、一般的なダイオードの順方向電圧による損失を考慮すると、効率はより低下する。
【課題を解決するための手段】
【００１７】
本発明の静電誘導発電機では、以下の構成を採用する。
【００１８】
すなわち、帯電部を有する回転可能な回転子と、この回転子から所定距離の空隙を介して対向した導電部を有する固定子とで構成した静電誘導発電機であって、前記帯電部は、前記回転子の回転中心から放射線状に配置された所定の中心角のＣ字扇状領域を複数有し、前記導電部は、前記回転子の回転中心軸上の位置から同心円状に配置された環状領域を複数有し、前記環状領域は、小電極に複数分割され、内周側に配置される前記環状領域の径方向の幅は、外周側に配置される前記環状領域の径方向の幅よりも長いことを特徴とする。
【発明の効果】
【００１９】
本願では、従来の課題を解決し、定電圧負荷を接続した場合であっても、取り出し電力が最大化できる静電誘導発電機を提供することが可能となる。
【００２０】
具体的には、静電誘導発電機の電極面を環状の領域に分割して構成することで、多相交流を発電出力することが可能となる。特に、この環状領域の中の電極の配置によって、一般に動力電源として用いられるような三相交流を発生させることが可能となる。
【００２１】
この三相交流を全波整流して定電圧負荷を駆動する場合の理論上の最大効率は、約９７％まで改善することが可能となる。
【００２２】
さらに、発電電圧の片振幅が従来の√３倍になるのでダイオードの順方向電圧による損失も小さくなるという効果もある。
【００２３】
またこのような電気的な効果の他に、電極面を環状の領域に分割することによって、回転子と固定子間に働くクーロン力によって、回転子が固定子のある角度に留まろうとする
トルクを下げることができ、外部から回転トルクが印加されたときに、回転子が回転し始め易くなるといった力学的な効果も有する。
【図面の簡単な説明】
【００２４】
【図１】本発明の静電誘導発電機における回転子の構成を示した平面図である。
【図２】本発明の静電誘導発電機における固定子の構成を示した平面図である。
【図３】本発明の静電誘導発電機の構成を示した断面図である。
【図４】本発明の充電回路を示した回路図である。
【図５】本発明の充電回路における降圧回路の構成を示した回路図である。
【図６】本発明の充電回路による出力電流波形を示した波形図である。
【図７】回転子の別の構成を示した平面図である。
【図８】回転子のさらに別の構成を示した平面図である。
【図９】従来の静電誘導発電機の構成を示した平面図である。
【図１０】従来の充電回路による出力電流波形を示した波形図である。
【発明を実施するための形態】
【００２５】
以下、このような静電誘導発電機を実現するための形態について図面を参照して詳述する。
【００２６】
まず、図１から図３を用いて、本発明の静電誘導発電機の構成について説明する。特に図１では、固定子の平面形状について説明し、図２では、回転子の導電部の平面形状について説明し、図３では、これらの回転子および固定子を組み合わせた発電機としての構成について説明する。
【００２７】
さらに図４〜図６を用いて、この発電機を用いた充電回路の構成および動作について説明する。
【００２８】
［回転子８０の平面構成説明：図１］
図１に示したように、回転子８０はＣ字扇状の複数の帯電部を備えた円形の回転体である。ここで、「Ｃ字扇状」とは、扇形の中心角に近い側から、その扇形より小さい扇形を取り除いた図形をいう。回転子８０は以下のようにして形成する。
【００２９】
回転子８０は、０．５ｍｍ程度の厚さに整えられたガラスやシリコンといった平坦度の高い基材８１を、エッチング等の加工法により円形に加工し、かつその面内を放射線状に形成する。ここでは回転子８０の面内を周方向に８等分に分割し、そのうちの４つの領域に相当する基材８１が等間隔で残るように加工するものとする。図１上では、この処理で基材８１が抜かれた部分をスリット８３として示している。このスリット８３はＣ字扇状であり、回転子８０の円周方向に等間隔で配置される。
【００３０】
さらにその加工によって残っている基材８１の表面上に、フッ素樹脂や二酸化ケイ素（ＳｉＯ2）といった、電荷を帯電保持する機能を有する帯電薄膜８２を形成することで、
回転子８０を形成する。この帯電薄膜８２が帯電部に相当する。帯電薄膜８２の形状は基材８１の形状にならって、Ｃ字扇状となるように形成する。
【００３１】
その後に、基材の表面の帯電薄膜８２を帯電処理する。帯電処理としては、高電圧を発生できる電極で回転子の上下面を挟み込んだ状態で電圧印加することで帯電する方法や、コロナ放電による帯電する方法が挙げられる。コロナ放電の方法としては、帯電薄膜８２に対して数ｍｍ離した距離に固定した針状電極に、−２０００Ｖから−８０００Ｖ程度の電圧を印加して帯電薄膜８２に対して負の電荷を注入することで帯電させる。
【００３２】
［固定子９０の平面構成説明：図２］
図２に示したように、固定子９０はＣ字扇状の複数の小電極による導電部を備えた円形の電極基板である。固定子９０は以下のようにして形成する。
【００３３】
固定子９０は、ガラスエポキシ基板やポリイミド基板といった絶縁性の基材、あるいはそれより誘電率の低い基材の表面に導電部を設けたプリント基板について、その表面の導電部をエッチング等で分割し、Ｃ字扇状の小電極を複数形成する。
【００３４】
具体的には、固定子９０には、同心円状に分割した３つの環状領域を形成する。さらにそれぞれの環状領域を径方向に分割することで小電極を形成する。
【００３５】
最外周の環状領域を、径方向に８つに分割しＡ相に対応する小電極を形成する。Ａ相に対応する小電極はＡ相電極９１とＡ相共通電極９４であり、これらを交互に配置し、環状になるようにする。
【００３６】
最内周の環状領域がＣ相に対応し、同様にＣ相電極９３とＣ相共通電極９６を交互に配置する。
【００３７】
Ａ相とＣ相に挟まれた環状領域がＢ相に対応し、同様にＢ相電極９２とＢ相共通電極９５を交互に配置する。
【００３８】
なお、これらの小電極は、前述の帯電薄膜８２と同じ大きさとなるようにする。Ａ〜Ｃ相電極９１〜９３およびＡ〜Ｃ相共通電極９４〜９６が導電部に対応する。
【００３９】
図２中のＡと付された全ての小電極がＡ相電極９１に対応する。同様にＢと付された全ての小電極がＢ相電極９２に対応し、Ｃと付された全ての小電極はＣ相電極９３に対応する。さらに、ＮAと付された全ての小電極がＡ相共通電極９４に対応する。同様にＮBと付された全ての小電極がＢ相共通電極９５に対応し、ＮCと付された全ての小電極がＣ相共
通電極９６に対応する。
【００４０】
特に、この固定子９０上の各小電極は、回転子８０と同様に面内を８分割しており、中心角が４５°のＣ字扇状となっている。
【００４１】
さらに、あるＡ相電極９１に対し、それに最も近いＢ相電極９２との相対位置は、固定子９０の中心からみて時計回りに３０°回転した位置になるようにする。
【００４２】
同様に、あるＡ相電極９１に対し、それに最も近いＣ相電極９３との相対位置は、固定子９０の中心からみて反時計回りに３０°回転した位置になるようにする。
【００４３】
この３０°という角度は９０°の１／３であるが、各相の電極配置の位相角としてみたときは１２０°と等しい。これは、各相の環状領域においては、出力端子の電極と共通電極は４５°ピッチで交互に配置されているため、各相の電極の配置周期はその２倍の９０°ピッチであることによる。
【００４４】
このように小電極を配置することにより、仮に回転子８０をこの固定子９０に対向させた状態で時計回りに回転したとき、Ａ相電極９１に現れる発電波形に対して、位相角で１２０°遅れた発電波形がＢ相電極９２に現れ、さらに位相角で１２０°遅れた発電波形がＣ相電極９３に現れるようになり、いわゆる三相交流信号が得られるようになる。
【００４５】
特に、この１２０°という位相角は、１周期の位相角に相当する３６０°を、この発電
機の出力相の数である３で除した位相角である。
【００４６】
また、各環状領域の径方向の幅を、外周側と内周側とで変え、全ての小電極の面積が等しくなるように分割する。すなわち、Ａ相電極９１とＢ相電極９２とＣ相電極９３とＡ相共通電極９４とＢ相共通電極９５とＣ相共通電極９６との全てが同じ面積となるように、環状領域の同心円の径を設定する。
【００４７】
この例ではＣ相に対応する環状領域が内周側であるため、回転中心からＣ相の環状領域の径方向の幅が最も長い。Ｂ相の環状領域の径方向の幅がその次に長く、最外周のＡ相の環状領域の径方向の幅が最も短くなるようにする。
【００４８】
このような環状領域の形状をとることで、回転子８０が回転した場合に、Ａ相電極９１とＢ相電極９２とＣ相電極９３のそれぞれに対して、帯電薄膜８２がこれらの小電極と対向する面積の変化量がそれぞれ等しくなるため、Ａ相電極９１とＢ相電極９２とＣ相電極９３の出力インピーダンスに相当する値はほぼ等しくなり、接続される負荷に対して各相から得られる電流量のバランスがとれるようになる。
【００４９】
なお、図示はしないが、分割されたＡ相電極９１は全てが同電位となるように基板上で結線するものとする。また同様に、分割されたＢ相電極９２も基板上で全てを結線し、Ｃ相電極９３も基板上で全てを結線するものとする。
【００５０】
これらのＡ相、Ｂ相、Ｃ相電極９１〜９３は、固定子９０の基板から導線で外部に引き出し、発電機の出力端子として後述の全波整流回路に接続する。
【００５１】
他方で、Ａ相、Ｂ相、Ｃ相の共通電極９４〜９６は、スルーホールで基板裏面に引き出し、全てを結線するものとする。
【００５２】
なお、このように共通電極を結線することで、この発電機はいわゆるスター結線（「Ｙ結線」ともいう。以下、同じ。）の三相交流発電機として機能するようになる。すなわちＡ相、Ｂ相、Ｃ相電極９１〜９３がそれぞれ発電機の各相の出力端子として機能する。またＡ相、Ｂ相、Ｃ相の共通電極９４〜９６は等電位となり、中性線Ｎとして機能する。
【００５３】
［静電誘導発電機の構造説明：図３］
次に図３を用いて、本発明の静電誘導発電機の構造について説明する。
【００５４】
図３に示すように、静電誘導発電機１０１は、上述した回転子８０と固定子９０とを一定の空隙距離を保ったまま互いに対向させた状態に保持可能な構造としている。かつこの状態で回転子８０の回転を可能とするため、回転子８０には軸体３３を嵌合し、こま状の回転体を形成する。軸体３３の両先端はホゾになっており、軸受けとしての機能を有する上側受け部３１と下側受け部３２とにそれぞれに設けた軸穴３４と軸穴３５とでこの軸体３３のホゾを受けることで、この回転体を保持する構成となっている。
【００５５】
なお、軸体３３には、これと同じ中心軸である動力伝達歯車３６が嵌合しており、これに噛み合う外部トルク入力源（図示せず）からの回転力を回転子８０へ伝達可能となっている。
【００５６】
帯電薄膜８２の表面と、固定子９０面上に形成された小電極表面との間の空隙は、５０ミクロンから１００ミクロンの距離を維持できるように上側受け部３１と下側受け部３２を固定する。静電誘導発電では、電極間の隙間が狭い方が誘導される電圧が高いので、できるだけ空隙距離は狭く、かつその変動が小さくなるような構造とする。このための構造
としては、機械式時計に用いられるてんぷの保持機構など、周知の機械構造が利用できる。同様に軸穴３４、軸穴３５には人工ルビーなどの輝石軸受けを用いることができる。
【００５７】
このような構造とすることで、本発明の静電誘導発電機１０１は回転子８０が回転運動をする際に、ほぼ一定距離の空隙を維持しつつ、帯電薄膜８２と固定子９０面上の小電極が対向する面積を変化させることができる。すなわち、静電誘導現象により小電極の表面上に電荷を誘導させたり解放したりすることが可能になり、発電装置として機能させることが出来るようになる。
【００５８】
このように構成した静電誘導発電機１０１では、Ａ相電極９１−Ａ相共通電極９４間には片振幅が１１．６Ｖの電圧が発生できるように空隙距離を設定する。固定子９０の電極形状から分かるとおり、Ａ相に対してＢ相とＣ相とは等しい特性となるため、Ｂ相電極９２−Ｂ相共通電極９５間もＣ相電極９３−Ｃ相共通電極９６間も同じ電圧振幅となる。なお、この電圧はいわゆる相電圧に対応する。
【００５９】
また、上述のとおり、Ａ相電極９１とＢ相電極９２とＣ相電極９３の出力インピーダンスに相当する値はほぼ等しくなるよう設定している。よって、各相の出力インピーダンスと出力電圧とが等しいことから、Ａ相、Ｂ相、Ｃ相から出力される電力は等しくなることは明らかである。
【００６０】
［充電回路の構成説明：図４］
次に図４を用いて、本発明の静電誘導発電機を用いた充電回路について説明する。
【００６１】
充電回路１００は、上述した静電誘導発電機１０１と、全波整流回路５０と、降圧回路１０と、蓄電手段２０とで構成する。
【００６２】
静電誘導発電機１０１のＡ相電極９１とＢ相電極９２とＣ相電極９３とを、全波整流回路５０の入力側に接続する。中性線Ｎは各相の共通電極どうしを接続した端子であるが、この例においては、各相の発電特性を揃えた構成としたため、中性線Ｎは未接続でよい。
【００６３】
全波整流回路５０は、三相入力を全波整流することが可能な６個のダイオードによる周知の全波整流回路である。なお、この全波整流回路５０に用いるダイオードとしては、逆電圧印加の耐圧が十分にあり、逆電圧によるリーク電流が少なく、端子間容量の小さいＰＩＮダイオードを用いる。
【００６４】
全波整流回路５０の出力には降圧回路１０を接続する。降圧回路１０は、出入りする電力はほぼ一定のまま、高電圧入力を低電圧に高効率で変換して出力する回路である。
【００６５】
一般に、静電誘導発電機１０１の発電電圧は１０Ｖを超える高い電圧となる。その一方で、携帯電子機器に用いられる蓄電手段２０の蓄電電圧は数Ｖである。このような発電機から電力を取り出すために、蓄電手段２０を単に直結して充電すると効率が悪くなってしまう。本発明の充電回路ではこの問題を解決する目的で降圧回路１０を用いている。
【００６６】
降圧回路１０の出力には２次電池である蓄電手段２０を接続し、降圧回路１０で低電圧・高電流に電力変換された結果として出力される電流を充電可能な構成とする。ここでは蓄電手段２０の端子電圧は１．５Ｖであるとする。
【００６７】
なお、次に説明するように、降圧回路１０および蓄電手段２０とは、全波整流回路５０の側からみて、ほとんど一定電圧（負荷電圧ＶL）の電圧源に見える定電圧負荷回路１０
２として働き、かつ高い効率で蓄電手段２０への充電を行うことが可能な回路である。
【００６８】
［降圧回路の構成説明：図５］
図５を使って降圧回路１０の構成について説明する。降圧回路１０は第１の降圧ブロック１１と第２の降圧ブロック１２とで構成する。降圧回路１０の降圧倍率ｎは６、すなわち６倍降圧するものである。
【００６９】
第１の降圧ブロック１１と第２の降圧ブロック１２とは、構成としては同じものであるが互いに逆位相で動作、すなわち一方が蓄電動作をする間、他方は放電動作を行うように構成した降圧回路である。
【００７０】
各降圧ブロックは複数のキャパシタを備えており、各キャパシタ間の接続状態は、ＭＯＳトランジスタを組み合わせて構成した、いわゆるアナログスイッチによって切り替える。スイッチは周知の構成なので図示していない。各々の降圧ブロックは、図５に示すように全波整流回路５０の出力を２倍降圧する第１の降圧段１１０Ａと、この第１の降圧段１１０Ａの出力を３倍降圧して蓄電手段２０へ出力する第２の降圧段１１０Ｂとで構成する。
【００７１】
第１の降圧段１１０Ａは、２倍降圧動作するために、キャパシタ１１１とキャパシタ１１２の２つのキャパシタを備えている。第１の降圧段１１０Ａはキャパシタ１１１とキャパシタ１１２の全てを直列または全てを並列とに切り替える動作をする。
【００７２】
また、第２の降圧段１１０Ｂは３倍降圧動作するために、キャパシタ１１３とキャパシタ１１４とキャパシタ１１５の３つのキャパシタを備えている。第２の降圧段１１０Ｂはキャパシタ１１３とキャパシタ１１４とキャパシタ１１５の３つのキャパシタの全てを直列または並列とに切り替える動作をする。
【００７３】
各キャパシタの接続状態は、周知の発振回路で生成可能な矩形波のクロック信号で切り替えることが可能である。このクロック信号の波形については図示しないが、図５の状態ａと、状態ｂとなる期間を５０ミリ秒とし、この２つの状態が交互に切り替わるように制御される。
【００７４】
この切り替わりの瞬間に、各降圧ブロックを構成するスイッチが同時にオンすることで各キャパシタを短絡しないような僅かな期間を設けてもよい。この期間は周知の遅延時間生成手法によって、数ナノ〜数１０ナノ秒程度と必要最小限の時間幅に設定できる。
【００７５】
［降圧回路の動作説明：図５］
図５を使って、降圧回路１０の動作について簡単に説明する。
【００７６】
降圧回路１０中のキャパシタが、上で説明したように切り替え動作を開始することにより降圧動作を行う。すなわち、全波整流回路５０の出力から蓄電される状態にあるキャパシタは、電荷を蓄えることで端子電圧が僅かに上昇するが、キャパシタが放電状態となったときに、キャパシタに蓄えられた電荷は蓄電手段２０に瞬時に吸いこまれ、蓄電手段２０の端子電圧に等しくなる。これは蓄電手段２０のインピーダンスが低いためである。
【００７７】
よって、降圧回路１０が降圧動作する時は、第２の降圧段１１０Ｂの各キャパシタの端子間電圧は蓄電電圧ＶBTと常にほぼ等しくなり、第１の降圧段１１０Ａの各キャパシタの端子間電圧は蓄電電圧ＶBTの３倍と常にほぼ等しくなり、結果として降圧回路１０の入力側電圧である負荷電圧ＶLは蓄電電圧ＶBTのほぼ６倍の電圧となる。
【００７８】
このように、降圧回路１０の入力側には蓄電電圧ＶBTに降圧倍率ｎを乗じた電圧値が現
れることとなる。この降圧回路１０の入力側端子は、発電した電流が流れ込んでもほとんど電圧変化が生じないため、降圧回路１０の接続状態が切り替わるごく僅かな期間を除けば、降圧回路１０は常に電圧値がｎ・ＶBTの電圧源であるかのように振る舞う。この定電圧源のように見える負荷の電圧値が前述した負荷電圧ＶLに相当し、
ＶL＝ｎ・ＶBT
が成り立つようになる。
【００７９】
特に、２つの降圧ブロックを相補的に動作させることで、一方の降圧ブロックが放電状態にあって、静電誘導発電機１０１に接続しない間でも、他方の降圧ブロックが静電誘導発電機１０１に接続し充電状態にできるため、静電誘導発電機１０１に常に定電圧負荷が接続したような状態にすることができ、静電誘導発電機１０１が発電しているその時点での電力を常に取り出すことが可能となる。
【００８０】
さらにこの降圧動作では、降圧回路１０内の全てのキャパシタは、電荷を受け渡す動作を通じてもその端子電圧には僅かな電圧変化しか生じないため、電荷移動にともなう損失が抑えられ、結果的にこの降圧回路１０は、入力電圧よりも端子電圧が低い状態にある蓄電手段２０へほとんど損失なしに電荷を移動することが可能となる。
【００８１】
従って、このように降圧回路１０を構成することで、静電誘導発電機１０１が無負荷となるような時間なしに、常に定電圧源とみなせる負荷を接続することができ、かつ低損失で発電出力を蓄電手段２０に送ることが可能となる。
【００８２】
［充電回路の動作説明：図３、４、図６］
充電回路１００の動作について、図３、図４および図６を用いて説明する。
【００８３】
静電誘導発電機１０１の動力伝達歯車３６に対して、図示しない回転動力源からトルクが伝達されると、回転子８０は回転を開始する。ここでは単純化のため、静電誘導発電機１０１の発電が定常状態であり、回転子８０が一定の角速度ωrで回転している状態での
動作について説明する。
【００８４】
静電誘導発電機１０１が無負荷の状態であると仮定すると、Ａ相電極９１から発生する発電出力を電圧信号として見た場合、基本波成分としては
ＶA（ｔ）Ｖ0・ｓｉｎ（ω・ｔ）
の発電電圧が得られる。ただしω＝４・ωrである。発電出力の角周波数が回転子８０の
回転角速度の４倍であるのは回転子８０上の帯電薄膜８２が面上に４個あるためである。
【００８５】
同様に、Ｂ相電極９２およびＣ相電極９３からは、
ＶB（ｔ）＝Ｖ0・ｓｉｎ（ω・ｔ−２・π／３）
ＶC（ｔ）＝Ｖ0・ｓｉｎ（ω・ｔ＋２・π／３）
の発電電圧が得られる。これは上述のとおり、Ａ相電極９１に対して、Ｂ相電極９２およびＣ相電極９３の配置位相を周方向に変えているためである。以下の説明では、このＡ相の発電電圧の信号位相を基準の位相とする。
【００８６】
これらの各相からの発電出力は全波整流回路５０によって全波整流され、降圧回路１０に入力される。降圧回路１０は内部のクロックによって前述のとおりに降圧動作を行い、蓄電手段２０へ電流出力を行う。
【００８７】
蓄電手段２０は２次電池であるためその端子電圧は急激には変化しない。このため降圧回路１０以降は、蓄電手段２０の端子電圧を６倍した、ほぼ一定の電圧である電圧負荷にみえる。すなわち全波整流回路５０には負荷電圧ＶLの定電圧源が接続したような動作に
なる。実際には、全波整流回路５０から降圧回路１０に流れ込んだ電流の６倍の電流が蓄電手段２０に流れ、蓄電手段２０への充電がなされる。
【００８８】
図６に、この充電回路１００に対してある端子電圧の定電圧負荷を接続したときの、負荷電流波形の例を示した。
【００８９】
なお、ここでは単純化のため、全波整流回路５０は理想ダイオードであり、順方向電圧は０であると仮定している。
【００９０】
負荷電流の波形は、定電圧負荷の端子電圧によって変化するが、図６では、ちょうど発電電圧の位相がｍ・π／１２（ｍは奇数）のときに電流波形のリプルの谷が現れるように定電圧負荷の電圧値を設定したときの電流波形を例示している。この状態ではリプルの谷になる点での時間間隔は一定であるが、このようにすると、電流の各極大値と極小値との差は極めて小さくなる。
【００９１】
ここで、この充電回路１００による充電効率について説明する。
【００９２】
静電誘導発電機１０１の発電電圧は、帯電薄膜８２の表面電荷密度と空隙距離で主に決まるため、従来のように固定子９０を環状領域に分割せずに単相であった場合と同じ発電電圧となる。ただし、各相の出力インピーダンスに相当する値は、単相であった場合の３倍となる。
【００９３】
この静電誘導発電機１０１の出力を、全波整流回路５０を介して三相全てを整流し、定電圧負荷を駆動する場合について、計算機シミュレーションで解析した結果、図６に示すような波形の電流が負荷電流として流れ、特に定電圧負荷の端子電圧（負荷電圧ＶL）が
、各相の発電電圧（いわゆる相電圧）の片振幅Ｖ0の約０．７９２倍であるときに、発電
１サイクルあたり（時間幅２・π／ω）での平均負荷消費電力が最大であった。その最大充電電力は、この発電機の出力インピーダンスと整合の取れた抵抗負荷を接続した場合の最大取り出し電力の約９７．２％である。
【００９４】
すなわち、静電誘導発電機の発電出力の基本波成分について、これを理想的な整流回路を介して定電圧負荷を駆動した場合、負荷に取り出せる電力は理論最大の約９７％にまで改善される。先に説明した従来技術のとおり、回転子および固定子のサイズや空隙距離が本例と同じで、単相出力である場合の効率は約９２％であった。この改善分は、静電誘導発電機１０１から定電圧負荷回路１０２に実質的に印加される発電電圧成分が０となる時間がなく、負荷に流れ込む電流のリプル幅が小さくなったことによる効果である。この充電回路の例では、定電圧負荷回路１０２での電力消費は蓄電手段２０への充電電力に対応するため、充電効率が改善することに相当することは明らかである。
【００９５】
上記の例では、降圧倍率ｎ＝６  であり、蓄電手段２０の端子電圧ＶBT＝１．５Ｖ  であることから、負荷電圧ＶL＝１．５×６＝９．０Ｖ  である。一方、各相の発電電圧（
相電圧）Ｖ0＝１１．６Ｖであった。よってこの比は９．０／１１．６＝０．７７７とな
り、このときの電力取り出し効率は９７．２％と、この系での最大効率点にほぼ等しい負荷動作点で充電回路１００を動作させることが可能である。
【００９６】
すなわち、定電圧負荷を駆動する電流の各極大値と極小値との差が小さくなるように負荷電圧ＶLを設定したとき、定電圧負荷への電力取り出し効率が極めて高くなる。
【００９７】
またさらに、図４に示したように、この例における静電誘導発電機１０１はいわゆるスター結線の発電機の構成となっている。よく知られている交流回路理論によれば、スター
結線の三相交流発電機の実質的な発電出力は、各相の発電電圧（相電圧）の√３倍になることが知られている。これは、いわゆる線間電圧に対応する出力電圧である。この静電誘導発電機の例では、各相の発電電圧としては従来の単相の発電機と同じであるため、従来の発電機のように単相発電機として用いたときと比べて、実質的な発電電圧はそのまま√３倍となる。
【００９８】
実際の全波整流回路５０では、整流する際にダイオードの順方向電圧分の電圧降下が生じる。ここで用いるダイオードの１つ当たりの順方向電圧は、約１．０Ｖのほぼ一定の電圧である。この順方向電圧は、発電電圧を減らす側にオフセットさせるものとみなせるが、このように実質的な発電電圧が√３倍に増えることによって、相対的にこのオフセット量が減ることになる。すなわち、静電誘導発電機を本発明のように三相出力とすることで、全波整流回路５０におけるダイオードの順方向電圧の影響を下げ、整流回路での損失を大幅に低減できるという効果も得られる。
【００９９】
実用上は、このダイオードの順方向電圧の影響を小さくする効果が特に大きい。よってこの例のように三相交流出力の発電機としなくても、実質的な出力電圧が大きくできるような構成とするだけでも、静電誘導発電機からの取り出し効率改善効果が得られる。
【０１００】
［出力電圧２倍化の例：図７］
この、ダイオードの順方向電圧の影響を下げることに注目した例について簡単に説明する。図７に、先に説明した三相出力の発電機の例の固定子の別の例を示した。
【０１０１】
この例では、固定子１９０の小電極を図７に示したように分割する。すなわち、環状領域を内周側と外周側との２つとし、さらに各環状領域を８つのＣ字扇状の小電極に分割する。この例では外側の環状領域がＡ相に相当し、内側の環状領域がＢ相に相当し、特にＡ相とＢ相の配置位相を位相角で１８０°とする。すなわち、固定子１９０の中心からみてＡ相電極１９１とＢ相共通電極１９５を同一直線状に配置し、Ｂ相電極１９２とＡ相共通電極１９４を同一直線状に配置する。また、各小電極は全て同じ面積となるようにする。
【０１０２】
なお、Ａ相電極１９１とＢ相電極１９２とがこの発電機の例で出力端子となる。一方、図示はしないが、全てのＡ相共通電極１９４とＢ相共通電極１９５とを基板内で結線し、中性線Ｎとする。
【０１０３】
このように複数の小電極を配置および結線することにより、仮に上述した回転子８０をこの固定子１９０に対向させた状態で時計回りに回転させたとき、Ａ相電極１９１に現れる発電波形に対して、位相角で１８０°遅れた発電波形がＢ相電極１９２に現れるようになる。各相の電圧振幅は等しいので、出力インピーダンスに相当する抵抗値が２倍の発電機を、２個直列にしたのと同等の特性が得られる。さらに、この２個の発電機の発電位相は同期しているので、結果的に従来の発電機とサイズ等は同じままで、電圧振幅が２倍で、出力インピーダンスが４倍の単相の発電機に相当する発電機が得られることになる。
【０１０４】
先に説明した三相出力の発電機の例と同様に、この発電機にも全波整流回路を接続し、発電出力を整流して利用することになる。全波整流回路に用いるダイオードの順方向電圧は、発電電圧を減らす側にオフセットさせるものとみなせるが、このように実質的な発電電圧が２倍に増えることによって、相対的にこのオフセット量が減ることになる。すなわち、静電誘導発電機の固定子をこの例のように構成することで、全波整流回路５０におけるダイオードの順方向電圧の影響を下げ、整流回路での損失をさらに低減できるという効果が得られる。
【０１０５】
［保持トルク低減の説明：図９、図２］
ここでは、上記に説明した電気的な効果の他に、本発明の静電誘導発電機の電極構成によって得られる力学的な効果について説明する。
【０１０６】
まず図９を参照して、従来の静電誘導発電機での保持トルクについての定性的な説明をし、次に図２を参照して、本発明の静電誘導発電機での保持トルクが従来の１／３になることについて説明する。
【０１０７】
従来の静電誘導発電機１は、上述のとおり、固定子９と回転子（図示せず）を対向させて回転する構成になっているが、出力端子からみると、空隙の空気層や帯電薄膜を誘電体としたキャパシタ（コンデンサ）とみることができる。帯電薄膜には帯電処理による固定電荷が蓄えられているので、この系には静電引力（クーロン力）による静電ポテンシャルが生まれる。固定電荷をＱ、出力キャパシタの静電容量をＣとすると、静電ポテンシャルＵは単純には
Ｕ＝Ｑ・Ｑ／（２・Ｃ）
で表される。
【０１０８】
このような系では、一般的に静電ポテンシャルが極小となるところが力学的にも安定点となる。固定電荷Ｑの大きさは帯電処理時に決まるため一定である。一方、静電容量Ｃは固定子の回転位置によって僅かであるが変動する。これは、回転子の位置により寄生的に存在する静電容量値が異なるためである。
【０１０９】
固定子９の表面上には、小電極を分割するために、導電性のない線が存在している。この分割線の部分には静電誘導による電荷がほとんど誘起されないため、静電容量Ｃへの寄与が小さいといえる。したがって、上からみて回転子がこの分割線を跨がない回転位置にあるときが、最も静電容量Ｃが大きくなる。
【０１１０】
図２中では、例えば領域Ｓとして示した位置に帯電薄膜がちょうど対向する回転位置であり、この領域Ｓの回転位置に帯電薄膜があるとき静電ポテンシャルＵは極小となる。
【０１１１】
この位置が力学的安定点であるため、この位置からどちらかの向きに回転させようとすれば、元の位置に引き戻そうとする向きのトルク、いわゆる保持トルクが生じる。
【０１１２】
なお、この例においては、固定子９の対称性から、静電ポテンシャルが極小となる安定回転位置の周期は４５°毎であることは明らかである。
【０１１３】
次に図２を再び参照して、本発明の静電誘導発電機での保持トルクについての説明をする。この静電誘導発電機は、上述のとおり、固定子９０と回転子８０を対向させて回転する構成であるが、ここで、図２中にＴとして示した固定子９０上の領域に、ちょうど回転子８０の帯電領域が対向して重なるような位置で回転子８０が停止している状態を考える。
【０１１４】
固定子９０の最内周になるＣ相の環状領域では、ここと領域Ｔとの重なり状態に注目すると、Ｃ相共通電極９６との重なりを増やす側の安定点が近いことから、時計回りに引き戻しトルクが働くことが分かる。一方、Ｂ相の環状領域については、Ｂ相共通電極９５との重なりを増やす側の安定点が近いことから、反時計回りに引き戻しトルクが働くことが分かる。
【０１１５】
特に、小電極の配置の対称性から、Ｃ相共通電極９６が領域Ｔと重なっている面積と、Ｂ相共通電極９５が領域Ｔと重なっている面積とは等しいため、これら２つの引き戻しトルクの大きさそのものは等しくなり、ちょうど相殺される。
【０１１６】
固定子９０の最外周のＡ相の環状領域については、ここと領域Ｔとの重なり状態に注目すれば、この位置が安定点であることが分かる。ただし、従来と比べて、重なり面積自体は１／３しかないため、この位置から回転させようとしたときに元の位置に引き戻そうとするトルクも１／３となる。
【０１１７】
よって、それぞれの環状領域毎に注目し、対向する回転子８０の箇所に働くトルクの和を考えれば明らかであるが、回転子８０を安定位置に止めるように働く保持トルクは従来の１／３に小さくなることが分かる。ただし、この安定位置の周期は、図９に示した従来の１／３である１５°毎である。
【０１１８】
以上から、本発明の静電誘導発電機によれば、固定子の電極面を対称性よく環状に分割することによって、回転子と固定子間に働くクーロン力による保持トルクを小さくすることができ、結果として、外部から回転トルクが印加されたときに、回転子を回転し始め易いという、力学的な効果が得られることが分かる。
【０１１９】
［保持トルク低減の他の例の説明：図８］
この力学的な効果だけを得るための典型的な固定子の電極配置の例を、図８に示した。このような固定子２９０は、内周と外周とに２つの環状領域を有するが、Ａ相に相当する外周の環状領域からみて、Ｂ相に相当する内周の環状領域中の小電極の配置位相を、小電極の中心角のちょうど１／２である２２．５°にしている。
【０１２０】
図８にも、図９などと同様に、回転子の帯電領域が停止する位置の例として領域Ｖを示した。上記の説明と同様に、固定子２９０の小電極であるＡ相電極２９１、Ｂ相電極２９２、Ａ相共通電極２９４、Ｂ相共通電極２９５に対して、この領域Ｖの重なり状態に注目すれば、この位置が回転子の安定点となることが分かる。ただし、従来と比べて、重なり面積自体は１／２しかないため、この位置から回転させようとしたときに元の位置に引き戻そうとするトルクも１／２となることは明らかである。
【０１２１】
以上、本発明の静電誘導発電機について説明したが、発明の範囲は上記に記載した内容に限定されるものではない。例えば、上記の説明ではスター結線の三相発電機のように構成するものとしたが、いわゆるデルタ結線（三角結線）となるよう構成してもよい。
【符号の説明】
【０１２２】
１０  降圧回路
２０  蓄電手段
５０  整流手段
８０  回転子
８１  回転子基材
８２  帯電薄膜
９０、１９０、２９０  固定子
９１、１９１、２９１  Ａ相電極
９２、１９２、２９２  Ｂ相電極
９３  Ｃ相電極
９４、１９４、２９４  Ａ相共通電極
９５、１９５、２９５  Ｂ相共通電極
９６  Ｃ相共通電極
１００  充電回路
１０１  静電誘導発電機
１０２  定電圧負荷回路
【図１】
2018201333.tif 000003
【図２】
2018201333.tif 000004
【図３】
2018201333.tif 000005
【図４】
2018201333.tif 000006
【図５】
2018201333.tif 000007
【図６】
2018201333.tif 000008
【図７】
2018201333.tif 000009
【図８】
2018201333.tif 000010
【図９】
2018201333.tif 000011
【図１０】
2018201333.tif 000012